(57)【特許請求の範囲】
【請求項１】
駆動源によって駆動される回転刃と、前記回転刃の下方に装着されるスライダと、を備える刈払い機において、
前記スライダの装着位置を上下方向で変更可能とされており、
前記回転刃の下方にはボルトカバーが固定されており、
前記スライダは、前記ボルトカバーに装着されており、
前記スライダは、係止部を有しており、
前記ボルトカバーは、前記係止部が係止可能な複数種類の被係止部を有しており、
前記複数種類の被係止部の内いずれか一種類の被係止部を選択して前記係止部を係止させて前記スライダを装着することで、前記スライダの装着位置を上下方向で変更可能とされていることを特徴とする刈払い機。
【請求項２】
前記複数種類の被係止部は、複数の上下方向で異なる位置に形成された被係止部を含むことを特徴とする請求項１に記載の刈払い機。
【請求項３】
駆動源によって駆動される回転刃と、前記回転刃の下方に装着されるスライダと、を備える刈払い機において、
前記スライダの装着位置を上下方向で変更可能とされており、
前記回転刃の下方にはボルトカバーが固定されており、
前記スライダは、前記ボルトカバーに装着されており、
前記スライダは前記ボルトカバーへの螺合により装着されており、前記ボルトカバーに対する前記スライダの螺入量を調節することで、前記スライダの装着位置を上下方向で変更可能とされていることを特徴とする刈払い機。
【請求項４】
前記回転刃と前記スライダとの間には、前記回転刃と前記スライダとの間に形成される隙間を塞ぐ閉塞部材が配置されていることを特徴とする請求項１〜３のいずれか１項に記載の刈払い機。
【発明の詳細な説明】
【技術分野】
【０００１】
本発明は、雑草等の刈り取り作業に使用する刈払い機に関する。
【背景技術】
【０００２】
従来から、雑草等の刈り取り作業に使用される刈払い機が知られている。この種の刈払い機は、駆動源と、長尺の操作棹と、操作棹の前端部に配置される刈刃部と、操作棹を操作するために把持するハンドル部とを備えて構成されている。刈刃部には駆動源からの駆動力によって回転する円板状の回転刃が備えられており、回転刃の下方の所定の位置には地面に接地させるスライダ（接地体）が装着されている（下記特許文献１参照）。
【０００３】
このような刈払い機を使用しての刈り取り作業においては、作業者は回転刃が地面と平行になるように維持しながら操作棹を左右に揺動させつつ移動しながら雑草等を刈り取っていく。この際、スライダを地面に接地させることにより刈払い機の重量の一部が地面で支持されるので、作業者の疲労を低減することができる。さらに、スライダを地面に接地させることにより、地面と回転刃との距離がほぼ一定に保たれるので、刈込み高さを安定させることができるとともに回転刃が地面に接触して損傷する可能性も低減できる。
【先行技術文献】
【特許文献】
【０００４】
【特許文献１】特開２０１５−１２８５０号公報
【発明の概要】
【発明が解決しようとする課題】
【０００５】
ところが、上述の刈払い機において刈込み高さを大きくしたいときには、スライダを地面から浮かせて地面と回転刃の距離を大きくした状態を維持して刈り取り作業を行うことになる。この場合は刈払い機の重量の全てを作業者が支持することになるため、作業者への負担が大きくなり、作業性の低下を招いていた。
【０００６】
本発明は、上述した課題の存在に鑑みてなされたものであって、その目的は、刈り取り作業の作業性低下を招くことなく刈込み高さを変更することができる刈払い機を提供することである。
【課題を解決するための手段】
【０００７】
本発明に係る刈払い機は、駆動源によって駆動される回転刃と、前記回転刃の下方に装着されるスライダと、を備える刈払い機であって、前記スライダの装着位置を上下方向で変更可能とされており、前記回転刃の下方にはボルトカバーが固定されており、前記スライダは、前記ボルトカバーに装着されており、前記スライダは、係止部を有しており、前記ボルトカバーは、前記係止部が係止可能な複数種類の被係止部を有しており、前記複数種類の被係止部の内いずれか一種類の被係止部を選択して前記係止部を係止させて前記スライダを装着することで、前記スライダの装着位置を上下方向で変更可能とされていることを特徴とする。
【０００８】
本発明に係る刈払い機においては、前記複数種類の被係止部は、複数の上下方向で異なる位置に形成された被係止部を含む。
【０００９】
また、本発明に係る刈払い機は、駆動源によって駆動される回転刃と、前記回転刃の下方に装着されるスライダと、を備える刈払い機であって、前記スライダの装着位置を上下方向で変更可能とされており、前記回転刃の下方にはボルトカバーが固定されており、前記スライダは、前記ボルトカバーに装着されており、前記スライダは前記ボルトカバーへの螺合により装着されており、前記ボルトカバーに対する前記スライダの螺入量を調節することで、前記スライダの装着位置を上下方向で変更可能とされていることを特徴とする。
【００１０】
また、本発明に係る刈払い機においては、前記回転刃と前記スライダとの間には、前記回転刃と前記スライダとの間に形成される隙間を塞ぐ閉塞部材を配置することができる。
【発明の効果】
【００１３】
本発明によれば、刈り取り作業の作業性低下を招くことなく刈込み高さを変更することができる刈払い機を提供することができる。
【図面の簡単な説明】
【００１４】
【図１】本発明の実施形態に係る刈払い機の全体側面図である。
【図２】図１の刈刃部の拡大図である。
【図３】図２の縦断面図である。
【図４】図２の要部拡大図であって、スライダを回転刃に接近させて装着した状態を示している。
【図５】図２の要部拡大図であって、スライダを回転刃から下方へ遠ざけて装着した状態を示している。
【図６】ボルトカバーを示す図であって、（ａ）は第一開口を正面に見る側面図であり、（ｂ）は第二開口を正面に見る側面図である。
【図７】スライダを示す図であって、（ａ）は側面図であり、（ｂ）は斜め上方から見た斜視図である。
【図８】本発明の別の実施形態に係る刈払い機を示す図であって、スライダを回転刃に最も接近させて装着した状態を示す要部縦断面図である。
【図９】本発明の別の実施形態に係る刈払い機を示す図であって、スライダを回転刃から下方に最も遠ざけて装着した状態を示す要部縦断面図である。
【発明を実施するための形態】
【００１５】
以下、本発明を実施するための好適な実施形態について、図１〜図７を用いて説明する。なお、以下の実施形態では、本発明を刈刃部に駆動源としてのモータを備える刈払い機に適用する場合を例示して説明する。また、以下の実施形態は、各請求項に係る発明を限定するものではなく、また、実施形態の中で説明されている特徴の組み合わせの全てが発明の解決手段に必須であるとは限らない。
【００１６】
本実施形態に係る刈払い機１は、図１に示すように、長尺の操作棹２と、操作棹２の一端側（後端側）に配置されるハンドル部１０と、操作棹２の中間部に配置される補助ハンドル２０と、操作棹２の他端側（前端側）に配置される刈刃部３０とを有して構成されている。操作棹２は、金属製のパイプを主要構成部材としており、内部には複数本のケーブルが挿通されている。ハンドル部１０は、一方の手で把持する把持部１１と、外部電源と接続するための電源ケーブル１２と、スイッチ１３と、不図示のセフティロックボタンとを有しており、把持部１１を把持する手指でセフティロックボタンとスイッチ１３の両方を押込み操作することで刈払い機１の運転を開始することができる。また、ハンドル部１０の前側上面には肩掛けバンド（不図示）を取り付けるためのフック１４が設けられている。補助ハンドル２０は、刈り取り作業時に他方の手で把持するためのものであり、操作棹２の任意の位置に移動させて固定することができる。また、補助ハンドル２０にも肩掛けバンドを取り付けるためのフック（不図示）が設けられており、作業者は肩掛けバンドの取り付け位置を選択することができる。
【００１７】
刈刃部３０は、図２にも示されるように、ハウジング３１と、ハウジング３１の下方に配置される円板状の回転刃３２と、回転刃３２の下方に配置されるスライダ６１と、回転刃３２のハンドル部１０側の上側（後方上側）を覆う飛散防止カバー３３とを備えている。回転刃３２は、金属からなり、高速回転しながら外周部に設けられた複数の刃を接触させることで雑草等の刈り取りを行うことができる。
【００１８】
ハウジング３１の内部には、図３に示されるように、駆動源としてのモータ３４がモータ軸３５の軸線を上下方向として収容されている。モータ軸３５の下端部には駆動ギヤ３６が固定されている。モータ軸３５の前側（図３においては紙面右側）にはモータ軸３５と平行の軸線を有する刃物軸３７が回転自在且つ上下方向で移動不納に配置されている。刃物軸３７の中間部には駆動ギヤ３６とかみ合う従動ギヤ３８が固定されており、刃物軸３７の下部には略円盤状の刃受金具３９が固定されている。図４に示されるように、刃受金具３９は、上下方向中間部に鍔部３９ａを有しており、鍔部３９ａの下方である下端部には突部３９ｂが形成されている。突部３９ｂにはロールガード４０が相対回転不能に嵌合している。なお、ロールガード４０は、後述するボルト４１を締め付ける際あるいは締め付けたボルト４１を緩める際に、刃物軸３７が連れ回りしないようにロックする場合に使用するものである。ロールガード４０の下方には回転刃３２が突部３９ｂに嵌合して配置されている。
【００１９】
回転刃３２の下方にはボルトカバー５０が配置されている。ボルトカバー５０は、金属材料からなり、その下面中央部に凹部が形成された略円盤状の部材であって、中央には開口５０ａが形成されている。開口５０ａには下方からボルト４１が挿通されており、このボルト４１を刃物軸３７の下端部に形成された雌ネジに螺入させて締め付けることで、ボルトカバー５０の上面と刃受金具３９の鍔部３９ａとにより回転刃３２とロールガード４０とが挟持される。したがって、回転刃３２とロールガード４０とは刃物軸３７と一体的に回転することになる。
【００２０】
上述の構成の刈払い機１を使用して雑草等の刈り取り作業を行う場合は、一方の手でハンドル部１０の把持部１１を、他方の手で補助ハンドル２０を把持し、一方の手の指でセフティロックボタンとスイッチ１３の両方を押込み操作してモータ３４の運転を開始させる。モータ３４が運転を開始すると駆動ギヤ３６と従動ギヤ３８を介して刃物軸３７か回転することで回転刃３２が回転する。なお、回転刃３２の回転方向は、上方から見て反時計回りとなっている。作業者は回転刃３２を回転させた状態で操作棹２を左右に揺動させつつ移動しながら雑草等の刈り取りを行っていく。なお、回転刃３２の回転方向は上方から見て反時計回りとなっているので、回転刃３２を右から左へ移動させるときに刈り取りを行うと効率良く作業を行うことができる。
【００２１】
ボルトカバー５０の外周面５１は、図５によく示されるように、下方側が小径となるテーパー形状として形成されている。この外周面５１には４つの開口が形成されている。４つの開口は、回転軸線に対して対向して配置される一対の第一開口５２と、第一開口５２と重ならない位置で回転軸線に対して対向して配置される一対の第二開口５３とからなる。第一開口５２と第二開口５３とはほぼ同形状に形成されているが、第一開口５２は第二開口５３に対して上方側に形成されている。第一開口５２及び第二開口５３は、周方向に長く形成された上側開口部５２ａ，５３ａと、上側開口部５２ａ，５３ａの右端部側から下方に延設される下側開口部５２ｂ，５３ｂと、上側開口部５２ａ，５３ａの左端部側下面において所定量下方に凹んだ凹部５２ｃ，５３ｃとを有している。なお、第一開口５２と第二開口５３は、後述するスライダ６１の係止突起６４を係止するためのものである。
【００２２】
ボルトカバー５０の下方には略碗形状のスライダ６１が装着されている。スライダ６１は、刈払い機１を使用して雑草等を刈り取るときに地面に接地させる部材である。スライダ６１は、樹脂からなり、図６によく示されるように、外面が地面に接地する球面形状部６２と、球面形状部６２の内面から回転軸線を中心として立設される円環状の壁である円環立壁６３とを有して形成されている。円環立壁６３の内面には中心方向に向かって突設される円柱状の係止突起６４が対向して一対設けられている。球面形状部６２の外周部には、所定量上方に向かって延びるカラー部６５が延設されており、カラー部６５と円環立壁６３との間の球面形状部６２の内面には４つのバネ支持案内部６７が周方向等間隔で立設されている。バネ支持案内部６７は、後述するコイルバネ７６の端面が当接する円形状の座面６７ａと、コイルバネ７６の内周を案内するために座面６７ａの中央から立設する円柱部６７ｂとを有している。
【００２３】
図４に示されるよう、スライダ６１の外周側上面と回転刃３２との間には円環状の閉塞部材７１が配置されている。閉塞部材７１は、スライダ６１のカラー部６５と回転刃３２との間に発生する隙間を塞ぐための部材である。閉塞部材７１は、中央に孔７３を有し、上面が回転刃３２に当接する円環板状部７２と、円環板状部７２の外周部から下方に所定量突出する円環状の第一垂下壁７４と、第一垂下壁７４から所定量中心側にオフセットした位置において円環板状部７２の下面から下方に所定量突出する円環状の第二垂下壁７５とを有して形成されている。閉塞部材７１は、スライダ６１の円環立壁６３に孔７３を挿通させて配置されており、閉塞部材７１の円環板状部７２とスライダ６１のバネ支持案内部６７との間には４つのコイルバネ７６が所定量圧縮した状態で配置されている。また、スライダ６１のカラー部６５は、第一垂下壁７４と第二垂下壁７５との間に下方から差し込まれている。
【００２４】
次に、スライダ６１の取り付け手順について説明する。なお、本実施形態に係る刈払い機１では、スライダ６１の上下方向の装着位置を図４に示す回転刃３２に接近させた位置（第一位置）と、図５に示すスライダ６１を回転刃３２から下方へ遠ざけた位置（第二位置）との２種類から選択できるように構成されているが、以下の説明では、まず、回転刃３２に接近させた位置（第一位置）に装着する場合について説明する。
【００２５】
スライダ６１の取り付けにおいては、予め４つのコイルバネ７６をスライダ６１と閉塞部材７１との間に介在させた状態（スライダセット６０）としておき、このスライダセット６０をボルトカバー５０に取り付ける。スライダセット６０の取り付けは、まず、スライダ６１の一対の係止突起６４の位置をボルトカバー５０の一対の第一開口５２の下側開口部５２ｂの位置に一致させ、この状態でスライダセット６０を上方へ移動させてスライダ６１の円環立壁６３をボルトカバー５０の外周面５１に挿入させていく。挿入させていくと一対の係止突起６４が一対の下側開口部５２ｂに進入していき、その後一対の上側開口部５２ａの上面に当接する。なお、挿入の際は、４つのコイルバネ７６の弾性力に抗して作業を行う必要がある。上側開口部５２ａの上面に当接した後は、スライダ６１をボルトカバー５０に対して回転させて、上側開口部５２ａの反下側開口部５２ｂ側の端部（図６においては左端部）に当接させる。なお、この時のスライダ６１の回転方向は、上方から見て時計回りとなる。この位置では、コイルバネ７６の弾性力によりスライダ６１が下方へ移動することで、一対の係止突起６４が一対の凹部５２ｃに嵌り込んで係止することになる。このようにしてスライダ６１の一対の係止突起６４をボルトカバー５０の一対の第一開口５２に係止させることで、スライダ６１を第一位置に簡単に装着することができる。また、刈り取り作業における回転刃３２の回転方向は上方から見て反時計回りであり、スライダ６１の地面への当接によりスライダ６１に負荷される反力は、スライダ６１をボルトカバー５０に対して時計回りに回すように働くので、一対の係止突起６４の上側開口部５２ａの反下側開口部５２ｂ側の端部（図６においては左端部）に当接する状態を維持することができる。したがって、スライダ６１（スライダセット６０）が意に反してボルトカバー５０から外れることがない。
【００２６】
なお、この状態では、スライダ６１のカラー部６５は、閉塞部材７１の第一垂下壁７４で覆われているので、回転刃３２とスライダ６１との間に雑草等が進入する程の隙間は存在しない。また、カラー部６５の内周面には第二垂下壁７５が隣接しているので、石等への接触によるスライダ６１の回転中心側への変形を抑制できる。
【００２７】
次に、スライダ６１を図５に示す位置（第二位置）に装着する場合について説明する。
【００２８】
スライダ６１を第二位置に装着する場合の手順は、上述の第一位置に装着する場合の手順と同様になる。ただし、スライダ６１の一対の係止突起６４の係止先が、上述の第一位置に装着する場合は一対の第一開口５２であったのに対し、第二位置に装着する場合は一対の第二開口５３となり、これ以外は同様となる。したがって、詳細な説明は省略する。
【００２９】
このように、スライダ６１の一対の係止突起６４をボルトカバー５０の一対の第二開口５３に係止させることで、スライダ６１を第二位置に簡単に装着することができる。また、刈り取り作業における回転刃３２の回転方向は上方から見て反時計回りであり、スライダ６１の地面への当接によりスライダ６１に負荷される反力は、スライダ６１をボルトカバー５０に対して時計回りに回すように働くので、一対の係止突起６４の上側開口部５３ａの反下側開口部５３ｂ側の端部（図６においては左端部）に当接する状態を維持することができる。したがって、スライダ６１（スライダセット６０）が意に反してボルトカバー５０から外れることがない。
【００３０】
また、スライダ６１を第二位置に装着した場合は、上述の第一位置に装着した場合と比較して回転刃３２と地面との距離が大きくなることから、回転刃３２による刈り込み高さを大きくすることができる。さらに、スライダ６１の装着位置が第一位置より下方の第二位置になった場合でも、スライダ６１のカラー部６５は依然として閉塞部材７１の第一垂下壁７４に覆われるように構成されているので、第一位置に装着する場合と同様に、回転刃３２とスライダ６１との間に雑草等が進入する程の隙間は存在しない。さらにまた、カラー部６５の内周面には依然として第二垂下壁７５が隣接しているので、第一位置に装着する場合と同様に、石等の接触によるスライダ６１の回転中心側への変形を抑制できる。またさらに、スライダ６１を第二位置に装着した場合は、回転刃３２と地面との距離が大きくなることから、小石等の障害物に回転刃３２が接触して損傷する可能性を低減できる。
【００３１】
次に、スライダ６１の装着位置を第一位置から第二位置に変更する場合について説明する。
【００３２】
スライダ６１の装着位置を第一位置から第二位置に変更する場合は、第一位置にあるスライダ６１をコイルバネ７６の付勢力に抗して上方へ押し込んで、一対の係止突起６４の凹部５２ｃへの嵌り込みを解除し、さらに上方から見て反時計回りに回転させることで、一対の係止突起６４を一対の第一開口５２の上側開口部５２ａの反凹部５２ｃ側へ移動させる。その後、スライダ６１を所定量下方へ移動させると、一対の係止突起６４が一対の下側開口部５２ｂから下方へ離脱して一対の係止突起６４の一対の第一開口５２への係止が解除される。その後、スライダ６１を回転させて、一対の係止突起６４の位置をボルトカバー５０の一対の第二開口５３の下側開口部５３ｂの位置に一致させた状態で、スライダセット６０を上方へ移動させてスライダ６１の円環立壁６３をボルトカバー５０の外周面５１に挿入させていく。挿入させていくと一対の係止突起６４が一対の下側開口部５３ｂに進入していき、その後一対の上側開口部５３ａの上面に当接する。上側開口部５３ａの上面に当接した後は、スライダ６１をボルトカバー５０に対して回転させて、一対の係止突起６４を一対の上側開口部５３ａの左端部に位置させる。なお、この時のスライダ６１の回転方向は、上方から見て時計回りとなる。この位置では、コイルバネ７６の弾性力によりスライダ６１が下方へ移動することで、一対の係止突起６４が一対の凹部５３ｃに嵌り込んで係止することになる。このようにしてスライダ６１の一対の係止突起６４をボルトカバー５０の一対の第二開口５３に係止させることで、スライダ６１の装着位置を第一位置から第二位置に簡単に変更することができる。
【００３３】
なお、スライダ６１の装着位置を第二位置から第一位置に変更する手順は、上述の説明から明らかであるので、説明を省略する。
【００３４】
以上のように、本実施形態に係る刈払い機１においては、地面に接地させるスライダ６１の上下方向の装着位置を第一位置と第二位置とに設定できるので、刈り取り作業の作業性低下を招くことなく刈込み高さを変更することができる。また、スライダ６１の装着および装着位置の変更を簡単に行うことできるので便利である。さらに、スライダ６１が第一位置と第二位置のいずれの位置に装着された場合でも、閉塞部材７１によってスライダ６１のカラー部６５と回転刃３２との間に隙間が存在しないので、隙間へ雑草等が進入して巻きつくことを効果的に防止できる。さらに、スライダ６１を着脱自在に装着できるので、スライダ６１が磨耗した際の交換作業が容易となる。
【００３５】
以上、本発明の好適な実施形態について説明したが、本発明の技術的範囲は上記実施形態に記載の範囲に限定さない。上記実施形態には、多様な変更又は改良を加えることが可能である。
【００３６】
たとえば、上述の実施形態においては、駆動源を操作棹２の前端部に配置される刈刃部３０に収容されるモータ３４としていたが、これに限定されない。操作棹２の後端部に駆動源を配置することも可能である。また、駆動源をエンジンとすることも可能である。
【００３７】
また、たとえば、上述の実施形態においては、スライダ６１をボルトカバー５０に装着する構成としていたが、これに限定されない。スライダを装着ためのスライダ支持部材を設ける構成とすることも可能である。
【００３８】
また、たとえば、上述の実施形態においては、スライダ６１の一対の係止突起６４をボルトカバー５０の一対の第一開口５２又は第二開口５３に係止させることでスライダ６１を着脱自在に装着する構成としていたが、これに限定されない。例えば、ボルトカバーにスライダを螺合させて取り付ける構成とし、ボルトカバーに対するスライダの螺入量を調節することで、スライダの上下方向の装着位置を変更することも可能である。
【００３９】
そこで、この螺入量を調節する構成を本発明の別の実施形態として、図８及び図９を用いて説明する。ここで、図８はスライダを回転刃に最も接近させて装着した状態を示しており、図９はスライダを回転刃から下方に最も遠ざけて装着した状態を示している。なお、以下の説明においては、上述の実施形態と同様の構成については同じ符号を付し、説明を省略する場合がある。
【００４０】
図８及び図９に示されるように、本発明の別の実施形態に係る刈払い機１００においては、回転刃３２の下方に円盤上の閉塞部材１７１が配置されており、閉塞部材１７１の下方にはボルトカバー１５０が配置されている。ボルトカバー１５０は、金属材料からなる外観略円柱状の部材であって、その下面中央部に凹部が形成され、中央には開口１５０ａが形成されている。開口１５０ａには下方からボルト４１が挿通されており、このボルト４１を刃物軸３７の下端部に形成された雌ネジに螺入して締め付けることで、ボルトカバー１５０の上面と刃受金具３９の鍔部３９ａとにより回転刃３２、ロールガード４０及び閉塞部材１７１が挟持される。したがって、回転刃３２、ロールガード４０及び閉塞部材１７１は刃物軸３７と一体的に回転することになる。
【００４１】
ボルトカバー１５０の外周面には雄ネジ１５１が形成されている。また、ボルトカバー１５０の内周面には上下方向に長い係止溝１５２が２つ対向して形成されている。
【００４２】
ボルトカバー１５０の下方には略碗形状のスライダ１６１が装着されている。スライダ１６１は、刈払い機を使用して雑草等を刈り取るときに地面に接地させる部材である。スライダ１６１は、樹脂からなり、外面が地面に接地する球面形状部１６２と、球面形状部１６２の内面から回転軸線を中心として立設される円環状の壁である円環立壁１６３とを有して形成されている。円環立壁１６３の内面にはボルトカバー１５０の雄ネジ１５１と螺合可能な雌ネジ１６４が形成されている。円環立壁１６３で囲まれる球面形状部１６２の上面には係止爪１６５が軸１６６を中心として回動可能に配置されている。係止爪１６５は略Ｌ字状の部材であり、一端側には係止溝１５２に係止可能な爪部１６５ａ、他端側には操作アーム部１６５ｂを有しており、それらの中間部に形成される孔に軸１６６が嵌合している。球面形状部１６２は係止爪１６５の下方側にスリット状の開口１６２ａを有しており、この開口１６２ａには蓋部材１６７が着脱可能に装着されている。なお、係止爪１６５は不図示のネジリコイルバネによって爪部１６５ａが係止溝１５２に係止する方向に回転するように付勢されている。球面形状部１６２の外周部には、所定量上方に向かって延びるカラー部１６８が延設されている。
【００４３】
閉塞部材１７１は、スライダ１６１のカラー部１６８と回転刃３２との間に発生する隙間を塞ぐための部材である。閉塞部材１７１は、上面が回転刃３２に当接する円環板状部１７２と、円環板状部１７２の外周部から下方に所定量突出する円環状の第一垂下壁１７４と、第一垂下壁１７４から所定量中心側にオフセットした位置において円環板状部１７２の下面から下方に所定量突出する円環状の第二垂下壁１７５とを有して形成されている。第一垂下壁１７４と第二垂下壁１７５との間にはスライダ１６１のカラー部１６８が下方から差し込まれている。
【００４４】
上述の構成において、スライダ１６１をボルトカバー１５０に装着する場合は、蓋部材１６７を取り外した状態で、スライダ１６１の雌ネジ１６４をボルトカバー１５０の雄ネジ１５１に螺入させていく。この時開口１６２ａから係止爪１６５の操作アーム部１６５ｂを操作して、爪部１６５ａが係止溝１５２に係止しない位置に係止爪１６５を保持しておく。雌ネジ１６４の雄ネジ１５１への螺入により、所望の上下方向位置にスライダ１６１が位置する直前で操作アーム部１６５ｂの操作を中止する。これにより、爪部１６５ａが係止溝１５２に係止する方向に付勢されることになるので、さらにスライダ１６１を回転させると爪部１６５ａが係止溝１５２に係止してスライダ１６１の回転が規制される。その後、蓋部材１６７を開口１６２ａに装着する。このように、スライダ１６１の雌ネジ１６４のボルトカバー１５０の雄ネジ１５１への螺入によりスライダ１６１を簡単に装着することができる。また、スライダ１６１の雌ネジ１６４のボルトカバー１５０の雄ネジ１５１への螺入量を調節することで、図８に示す位置から図９に示す位置の間でスライダ１６１を所望の上下方向位置に装着することができる。また、スライダ１６１のカラー部１６８は、閉塞部材１７１の第一垂下壁１７４に覆われているので、回転刃３２とスライダ１６１との間に雑草等が進入する程の隙間は存在しない。また、カラー部１６８の内周面には第二垂下壁１７５が隣接しているので、石等の接触によるスライダ６１の回転中心側への変形を抑制できる。
【００４５】
スライダ１６１の上下方向位置を変更する場合は、スライダ１６１から蓋部材１６７を取り外し、開口１６２ａから係止爪１６５の操作アーム部１６５ｂを操作して、爪部１６５ａの係止溝１５２への係止を解除しておく。そして、スライダ１６１の回転操作によって雌ネジ１６４の雄ネジ１５１への螺入量を変更する。所望の位置にスライダ１６１が位置する直前で操作アーム部１６５ｂの操作を中止する。これにより、爪部１６５ａが係止溝１５２に係止する方向に付勢されることになるので、さらにスライダ１６１を回転させると爪部１６５ａが係止溝１５２に係止してスライダ１６１の回転が規制される。その後、蓋部材１６７を開口１６２ａに装着する。このように、スライダ１６１の雌ネジ１６４のボルトカバー１５０の雄ネジ１５１への螺入量を変更することで、スライダ１６１の装着位置を所望の上下方向位置に簡単に変更することができる。
【符号の説明】
【００４６】
１        ：刈払い機
２        ：操作棹
１０      ：ハンドル部
１１      ：把持部
１２      ：電源ケーブル
１３      ：スイッチ
１４      ：フック
２０      ：補助ハンドル
３０      ：刈刃部
３１      ：ハウジング
３２      ：回転刃
３３      ：飛散防止カバー
３４      ：モータ
３５      ：モータ軸
３６      ：駆動ギヤ
３７      ：刃物軸
３８      ：従動ギヤ
３９      ：刃受金具
３９ａ    ：鍔部
３９ｂ    ：突部
４０      ：ロールガード
４１      ：ボルト
５０      ：ボルトカバー
５０ａ    ：開口
５１      ：外周面
５２      ：第一開口
５２ａ    ：上側開口部
５２ｂ    ：下側開口部
５２ｃ    ：凹部
５３      ：第二開口
５３ａ    ：上側開口部
５３ｂ    ：下側開口部
５３ｃ    ：凹部
６０      ：スライダセット
６１      ：スライダ
６２      ：球面形状部
６３      ：円環立壁
６４      ：係止突起
６５      ：カラー部
６７      ：バネ支持案内部
６７ａ    ：座面
６７ｂ    ：円柱部
７１      ：閉塞部材
７２      ：円環板状部
７３      ：孔
７４      ：第一垂下壁
７５      ：第二垂下壁
７６      ：コイルバネ
１００    ：刈払い機
１５０    ：ボルトカバー
１５０ａ  ：開口
１５１    ：雄ネジ
１５２    ：係止溝
１６１    ：スライダ
１６２    ：球面形状部
１６２ａ  ：開口
１６３    ：円環立壁
１６４    ：雌ネジ
１６５    ：係止爪
１６５ａ  ：爪部
１６５ｂ  ：操作アーム部
１６６    ：軸
１６７    ：蓋部材
１６８    ：カラー部
１７１    ：閉塞部材
１７２    ：円環板状部
１７４    ：第一垂下壁
１７５    ：第二垂下壁
【図１】
0006662605.tif 000002
【図２】
0006662605.tif 000003
【図３】
0006662605.tif 000004
【図４】
0006662605.tif 000005
【図５】
0006662605.tif 000006
【図６】
0006662605.tif 000007
【図７】
0006662605.tif 000008
【図８】
0006662605.tif 000009
【図９】
0006662605.tif 000010